(57)【要約】【課題】シート状画像受容体の再生を行い、省資源化、強いては、環境破壊の抑制に寄与するシート状画像受容体の再生方法とそれを用いて再生されたシート状画像受容体を提供する。【解決手段】シート状画像受容体上に静電潜像現像法により形成されたトナー画像を除去し、該シート状画像受容体を再生する方法であって、画像受容面のベック平滑度が２０〜１５０秒である該シート状画像受容体を用い、該シート状画像受容体をリモネンを含有する溶液に接触させる工程、次いで浮遊した画像を除去することを特徴とするシート状画像受容体の再生方法。【選択図】なし【特許請求の範囲】
【請求項１】
シート状画像受容体上に静電潜像現像法により形成されたトナー画像を除去し、該シート状画像受容体を再生する方法であって、画像受容面のベック平滑度が２０〜１５０秒である該シート状画像受容体を用い、該シート状画像受容体をリモネンを含有する溶液に接触させる工程、次いで浮遊した画像を除去することを特徴とするシート状画像受容体の再生方法。
【請求項２】
前記リモネン溶液中のリモネンの含有量が、５０〜１００質量％であることを特徴とする請求項１記載のシート状画像受容体の再生方法。
【請求項３】
前記シート状画像受容体に対するリモネン溶液の接触角が、１０〜５０°であることを特徴とする請求項１又は２記載のシート状画像受容体の再生方法。
【請求項４】
請求項１〜３のいずれか１項記載のシート状画像受容体の再生方法により再生されたことを特徴とするシート状画像受容体。
【発明の詳細な説明】
【技術分野】
【０００１】
本発明は、シート状画像受容体の再生方法とそれを用いて再生されたシート状画像受容体に関するものである。
【背景技術】
【０００２】
近年、企業内外での会議等に用いられる資料は、シート状画像受容体（記録材、画像支持体、記録紙などともいわれる）に、電子写真法に代表される静電潜像現像法で形成されたトナー画像を用いて作成されていることが多い。
【０００３】
いうまでもなく、電子写真法とは、まず電子写真感光ドラム上に画像様にレーザー露光することで潜像を作製し、そこに帯電したトナーを付与することで、該感光ドラム上にトナー粒子画像を形成し、ついでそのトナー粒子画像をシート状画像受容体（特に必要がない場合は、「シート状」は略すことあり）に転写し、熱定着ローラ等で圧接して融着固定することにより形成される。
【０００４】
一方、最近においては環境エコロジー対応が大きな問題となり、上記資料作成のための画像形成の際には、両面プリントを行う、裏紙を使用するなど、画像受容体の有効使用策を採用する企業も増えている。画像受容体としては、主にパルプを主成分とした紙が用いられるが、紙を製造する場合にもマングローブの伐採など環境破壊が問題視されており、画像受容体の省使用化は近年の大きな課題となりつつある。
【０００５】
画像受容体の再生、再利用の方法については、過去にも以下のような提案がなされている。
【０００６】
例えば、会議のプレゼンテーションの際用いられるＯＨＰシート上の画像を除去するためにリモネンを含有する溶液組成物を用いることが出来、かつ、人体、環境に悪影響がなく、画像消去に有効な手段であることが開示されている（特許文献１）。
【０００７】
特許文献２には、シート状画像受容体表面をオレフィン−無水マレイン酸共重合体で被覆した画像受容体の発明が記載されている。オレフィン部分の離型性と無水マレイン酸のカルボン酸部分の接着性が、トナーと画像受容体との接着のバランスをとり、此によってトナー画像を綿布で擦り取って除去する方法を紹介している。
【０００８】
さらに離型剤含有層が塗設された画像受容体にトナー画像を形成し、その上に粘着性と離型性を有する層をラミネートし、ラミネート後に画像受容体上の粘着性と離型性を有する層をトナー画像ごと除去する方法も提案されている（特許文献３）。
【０００９】
しかしながら、上記３件はＯＨＰシート上の画像除去や特別な処理が施された画像受容体であり、いわゆる汎用の画像受容体に使用できないとう問題を持っている。
【００１０】
汎用の画像受容体から画像を除去する技術としては、画像を形成するトナー樹脂を溶解させるケトン系の有機溶剤に、画像受容体を浸漬し超音波処理することにより画像を除去するという方法がある（特許文献４）。しかし、ケトン系の有機溶剤はトナーを溶解する能力が低く、画像を除去するのに時間がかかり、画像受容体の繊維を傷めてしまうため、再生回数に制限がある。またケトン系の有機溶剤は安全性にも問題があり、一般のオフィスや家庭での使用には難点がある。
【００１１】
有機溶剤を使用しない方法としては、水を含む液体を画像受容体に含浸させ、画像剥離手段により画像を剥離した後、画像受容体を乾燥させる方法が提案されている。（特許文献５）。しかし、この方法は画像受容体の繊維を液体で膨潤させ変形させるため、画像受容体の繊維を傷めてしまい、再生回数に制限がある。
【特許文献１】特開平７−５７２２号公報
【特許文献２】特開２００６−７８６１８号公報
【特許文献３】特開平７−９２８６６号公報
【特許文献４】特開平１−１０１５７６号公報
【特許文献５】特開平７−１３３８３号公報
【発明の開示】
【発明が解決しようとする課題】
【００１２】
本発明は環境問題と上記の従来技術の課題に鑑みなされたものであり、本発明の目的は、シート状画像受容体の再生を行い、省資源化、強いては、環境破壊の抑制に寄与することが出来るシート状画像受容体の再生方法と、それを用いて再生されたシート状画像受容体を提供することである。
【課題を解決するための手段】
【００１３】
本発明者は、鋭意検討した結果、本発明の目的を達成するためには、下記構成を採ることが必要であるとの結論に至った。
【００１４】
（１）
シート状画像受容体上に静電潜像現像法により形成されたトナー画像を除去し、該シート状画像受容体を再生する方法であって、画像受容面のベック平滑度が２０〜１５０秒である該シート状画像受容体を用い、該シート状画像受容体をリモネンを含有する溶液に接触させる工程、次いで浮遊した画像を除去することを特徴とするシート状画像受容体の再生方法。
【００１５】
（２）
前記リモネン溶液中のリモネンの含有量が、５０〜１００質量％であることを特徴とする（１）記載のシート状画像受容体の再生方法。
【００１６】
（３）
前記シート状画像受容体に対するリモネン溶液の接触角が、１０〜５０°であることを特徴とする（１）又は（２）記載のシート状画像受容体の再生方法。
【００１７】
（４）
（１）〜（３）のいずれか１項記載のシート状画像受容体の再生方法により再生されたことを特徴とするシート状画像受容体。
【発明の効果】
【００１８】
本発明により、シート状画像受容体の再生を行い、省資源化、強いては、環境破壊の抑制に寄与することが出来るシート状画像受容体の再生方法と、それを用いて再生されたシート状画像受容体を提供することが出来る。
【発明を実施するための最良の形態】
【００１９】
以下、本発明について構成内容を説明する。
【００２０】
本発明は、電子写真法等で形成され画像受容体に定着されたトナー画像を、リモネンを含有する液体を接触させ、ついでリモネンを含有する液体によって浮遊したトナー画像を除去することで、画像受容体の再利用を行うことを目的とする発明である。
【００２１】
本発明に利用可能な画像受容体は、その画像を受容する側の表面のベック平滑度が２０秒〜１５０秒であることが重要である。ベック平滑度は、紙などのシート状部材の吸引による圧力から、その多孔質の度合いを予測して表示するものであり、この数値が高いほど、受容体表面は平滑であり、他方、数値が低いほど、受容体表面は凹凸が多く多孔質であることを示す指数である。
【００２２】
リモネンは柑橘類の果皮に多く含まれるテルペン系の天然物である。パルプより作られる紙の繊維に対して親和性が良いため効果的にぬらすことができる。このためトナーと紙との界面に容易に入り込みトナーを簡単に除去できるものと思われる。
【００２３】
又、画像受容体の特性の効果としては、画像受容体とトナー画像界面への溶媒の浸透の早さ（画像の浮かし取り易さ）からすると、ベック平滑度が１５０秒を超えるとトナー画像−画像受容体界面の密着性（接着性）が高く、リモネンが画像−受容体界面に浸透しにくく、トナー画像の剥離に時間がかかる。一方、ベック平滑度が２０秒未満では、トナー画像が紙面の奥深くに進入してトナー画像の除去ができないことや、剥離に時間がかかるため画像受容体の繊維を傷めてしまい、画像受容体の再生ができなくなる。
【００２４】
それ故、画像の剥離時間を短くでき、画像受容体の繊維が傷みにくく、受容体の繰り返し利用が可能となる条件を見いだすのは容易ではなかった。
【００２５】
本発明において、ユポ紙はもちろん、通常のコピー用紙の繰り返し利用も可能となる。
【００２６】
発明者らはベック平滑度とリモネンを含有する液体の受容体への浸透具合が、トナー像の受容体からの剥離（分離）に影響していることを確認した。ベック平滑度の値が小さい場合、画像形成時にトナーが画像受容体の凹凸の細部に入り込み、リモネンを含有する溶液での画像の浮かし取りが困難となる。一方、ベック平滑度が１５０秒を越えると画像と画像受容体の密着性が強くなり、リモネンを含有する液体がトナー画像−シート状画像受容体の界面に浸透しにくくなり、画像を浮遊させるまでの時間が過剰に掛かってしまう。また、画像を浮遊させるまでの時間が長くなると、リモネンを含有する液体が受容体にダメージを与えてしまい、画像受容体の再利用が困難となってしまう。
【００２７】
なお、本発明で言うベック平滑度については、ＪＩＳ−Ｐ８１１１に基づき測定することが出来る。具体的にはベック表面平滑度測定器（熊谷理器工業社製）などを用いて測定することが出来る。
【００２８】
〔シート状画像受容体〕
本発明においてシート状画像受容体は、ベック平滑度が２０秒〜１５０秒の範囲であれば、市場にある一般的な洋紙を利用できる。
【００２９】
一般的に洋紙は、まず、木材をパルプ化し、ついで紙の白色度を付与するために漂白をする。漂白されたパルプは紙の保存性、使いやすさを付与する為、目的に応じて薬剤に晒す。一般的には、水性インクなどのにじみを防ぐためにロジン、硫酸アルミニウムなどの薬剤が添加される。この手法により出来た紙は酸性紙と呼ばれる。また硫酸アルミニウムの代わりに中性サイズ剤が添加されることもある。これらは中性紙と呼ばれ、耐候性が高い。中性サイズ剤としては、カオリン、クレー、タルク、炭酸カルシウムなどが使われる。サイズ剤は、５％から２５％の範囲で添加されることが多い。上記の工程を経たパルプは水を加え１％程度のパルプ水溶液に希釈され、ワイヤープレート上に填延され、ワイヤープレートで水分が濾し取られ、次いでプレスされ、ドライヤーにて乾燥されシート状にされる。上記のように製造された紙はそのまま、あるいは更に加工してシート状画像受容体として使用できる。
【００３０】
画像受容体は画像受容面の光沢付与の為、クレーカオリン、炭酸カルシウムなどの白色顔料とでんぷんなどの接着剤よりなる塗料をコーティングし、光沢を付与することがある。これらは塗工紙と呼ばれ、その塗工量の多い順からアート紙（塗工量：約４０ｇ／ｍ２）、コート紙（同：２０ｇ／ｍ２〜４０ｇ／ｍ２）、軽量コート紙（同：１５ｇ／ｍ２前後）、微塗工紙（同：１２ｇ／ｍ２以下）と呼ばれる。
【００３１】
本発明においては上記洋紙のうち、画像受容体としては汎用ＰＰＣ用紙、微塗工紙が所望のベック平滑度が得られやすく好ましい。また、コート紙においてサイズ剤の粒径が大きいもの、含有量が多いものなどにも利用できるものがある。
【００３２】
また、ＰＰＣ用紙にプラスチックがコーティングされている、もしくは、パルプの代わりに原料としてプラスチックを使った合成紙も、本発明のベック平滑度を満たしていれば利用できる。原材料にパルプを使用していない合成紙は通称ユポ紙と呼ばれ、ユポとはユポ・コーポレーションの持つ登録商標である。
【００３３】
〔リモネン溶液〕
本発明において、画像を除去するためのリモネン溶液中のリモネンの含有量は５０〜１００質量％であることが好ましい。リモネンはトナーを構成するスチレンアクリル樹脂、ポリエステル樹脂の溶解性に優れている。リモネンの含有量が５０質量％未満であると、トナーを構成する樹脂の溶解が遅くなる。
【００３４】
一方、リモネンは画像受容体、とりわけパルプより作られる洋紙への浸透性が遅く、比較的他の溶剤よりも洋紙に対するダメージが少ないというメリットがある。
【００３５】
リモネンとは、下記「化１」に示す化学構造式を有する化合物である。
【００３６】
【化１】
2010060877.tif 000002
【００３７】
本発明においては、リモネン溶液のシート状画像受容体に対する接触角が１０〜５０°であることが好ましい。この接触角は画像受容体とリモネン溶液の親和性を表すと共に、シート状画像受容体とトナー画像との界面へのリモネン溶液の浸透の速さの指標となる。
【００３８】
この接触角が１０°未満であると前記界面へのリモネン溶液の浸透は早くなる一方、シート状画像受容体自体へのリモネン溶液浸透が早くなり、リモネン溶液のシート状画像受容体へのダメージが顕著となる。一方、接触角が５０°を越えると、リモネン溶液の界面浸透自体が進行せず、結果として、トナー画像を剥離させるのに時間が掛かる。
【００３９】
もともと、リモネン単体はパルプを主成分とする画像受容体に対し、接触角が大きいという性質がある。そのため、リモネン溶液にはシート状画像受容体に対する接触角が上記の範囲に収まるように、表面張力の低い物質を適宜添加することで接触角を調整することが好ましい。
【００４０】
表面張力の低い物質としては、脂肪族系界面活性剤、芳香族系界面活性剤、アセチレングリコール系界面活性剤、シリコーン系界面活性剤、フッ素系界面活性剤など、公知の界面活性剤が利用できる。上記表面張力の低い物質のリモネン溶液への添加量は、０〜２０質量％の範囲が好ましい。
【００４１】
本発明において、リモネン溶液には溶液自体の溶解性および、上記接触角を満たす範囲で溶剤が利用できる。たとえば、メタノール、エタノール、プロパノール、イソプロピルアルコールなど低級アルコール、アセトン、メチルエチルケトンなど低級ケトン類が利用できる。これらは極性が高く、パルプを主成分とする画像受容体への浸透性が早く、接触角を下げる傾向にあり、また、分子量が小さく、沸点が低いため、乾燥が早い傾向にある。一方、ヘキサン、ヘプタン、オクタン、ノナンなど炭素数６〜９の炭化水素、トルエンなどの芳香族溶剤なども利用できる。これらは非極性の溶剤のため、パルプを主成分とする画像受容体への浸透性は遅く、接触角を大きくする傾向にある。
【００４２】
本発明において、溶剤は単独でも、２種以上を混合して使用することもでき、その含有量は０〜５０質量％の範囲で混合することができる。
【００４３】
なお、本発明における接触角は画像受容体にリモネン溶液を０．２ｍｌ滴下し、１５秒後に形成された、受容体面とリモネン溶液滴により形成される接触角のことを言う。接触角は一般的な接触角計により測定が可能であり、協和界面科学社が製造、販売する接触角計などが挙げられる。
【００４４】
〔本発明が適用されるトナー画像〕
本発明の方法で除去される電子写真法等により形成されるトナー画像とは、市場に出回わるモノクロプリンター、カラープリンター、ＭＦＰ機など感光ドラム上にレーザー光線により潜像を形成し、該潜像にトナーを付与して現像をし、現像された画像を画像受容体に転写・定着されたものを言う。
【００４５】
本発明のベック平滑度を有する画像受容体に形成されたトナー画像を除去する方法は、画像部およびその周辺にリモネン溶液を筆、フエルト、綿棒などで塗布、もしくはスポイトなどで滴下し、１秒〜２０秒間静置し、トナー画像付近リモネン溶液諸とも、布、油とり紙、フエルト、綿棒などで除去することで行われる。本発明においては、画像受容体にダメージを与えないため、拭き取り、擦り取りなど、画像受容体に外力が及ばないように、リモネン溶液と共に、画像を吸い取ることが好ましい。
【００４６】
前述した静置する時間であるが、１秒未満であると、リモネン溶液が十分にトナー画像とシート状画像受容体界面に浸透する為の時間が不足となり、２０秒を越えるとリモネン溶液がシート状画像受容体を変形させたり、溶解させたりし、ダメージを与えやすい。
【００４７】
〔トナー〕
本発明において画像受容体から除去されるトナー画像を形成するためのトナーは、特に限定されるものではなく、公知の方法で製造されたものを利用することができる。
【００４８】
トナーの製造方法としては、粉砕法、懸濁重合法、ミニエマルション重合凝集法、乳化重合凝集法、溶解懸濁法、その他の公知の方法などを挙げることができる。
【００４９】
トナーは、少なくとも結着樹脂を含有し、必要に応じて着色剤、離型剤、荷電制御剤、外添剤などから構成される。
【００５０】
〔結着樹脂〕
トナーに使用可能な結着樹脂は、特に限定されるものではないが、スチレンアクリル系樹脂、ポリエステル系樹脂など公知の樹脂を使うことができる。
【００５１】
スチレンアクリル系樹脂としては、特に限定されず公知のものが使用可能である。
【００５２】
樹脂を構成する重合性単量体（モノマー）としては、例えばスチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンなどのスチレンあるいはスチレンスチレン誘導体；メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチルなどのメタクリル酸エステル誘導体；アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニルなどのアクリル酸エステル誘導体；エチレン、プロピレン、イソブチレンなどのオレフィン類；塩化ビニル、塩化ビニリデン、臭化ビニル、フッ化ビニル、フッ化ビニリデンなどのハロゲン化ビニル類；プロピオン酸ビニル、酢酸ビニル、ベンゾエ酸ビニルなどのビニルエステル類；ビニルメチルエーテル、ビニルエチルエーテルなどのビニルエーテル類；ビニルメチルケトン、ビニルエチルケトン、ビニルヘキシルケトンなどのビニルケトン類；Ｎ−ビニルカルバゾール、Ｎ−ビニルインドール、Ｎ−ビニルピロリドンなどのＮ−ビニル化合物類；ビニルナフタレン、ビニルピリジンなどのビニル化合物類；アクリロニトリル、メタクリロニトリル、アクリルアミドなどのアクリル酸またはメタクリル酸誘導体などのビニル系単量体を挙げることができる。
【００５３】
これらのビニル系単量体は、１種または２種以上を組み合わせて使用することができる。
【００５４】
又、重合性単量体としてイオン性解離基を有するものを組み合わせて用いることも好ましい。イオン性解離基を有する重合性単量体は、例えばカルボキシル基、スルフォン酸基、リン酸基などの置換基を構成基として有するものであって、具体的には、アクリル酸、メタクリル酸、マレイン酸、イタコン酸、ケイ皮酸、フマール酸、マレイン酸モノアルキルエステル、イタコン酸モノアルキルエステル、スチレンスルフォン酸、アリルスルフォコハク酸、２−アクリルアミド−２−メチルプロパンスルフォン酸、アシッドホスホオキシエチルメタクリレート、３−クロロ−２−アシッドホスホオキシプロピルメタクリレートなどが挙げられる。
【００５５】
さらに、重合性単量体として、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレートなどの多官能性ビニル類を用いて架橋構造の結着樹脂を得ることもできる。
【００５６】
ポリエステル系樹脂としては、特に限定されず公知のものが使用可能であり、例えば、多価アルコール成分と多価カルボン酸成分を重縮合させることにより得られたポリエステル樹脂が使用可能である。
【００５７】
多価アルコール成分のうち２価アルコール成分としては、例えば、ポリオキシプロピレン（２，２）−２，２−ビス（４−ヒドロキシフェニル）プロパン、ポリオキシプロピレン（３，３）−２，２−ビス（４−ヒドロキシフェニル）プロパン、ポリオキシプロピレン（６）−２，２−ビス（４−ヒドロキシフェニル）プロパン、ポリオキシエチレン（２，０）−２，２−ビス（４−ヒドロキシフェニル）プロパン等のビスフェノールＡアルキレンオキサイド付加物、エチレングリコール、ジエチレングリコール、トリエチレングリコール、１，２−プロピレングリコール、１，３−プロピレングリコール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリテトラメチレングリコール、ビスフェノールＡ、水素添加ビスフェノールＡ等が挙げられる。
【００５８】
３価以上のアルコール成分としては、例えば、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、２−メチルプロパントリオール、２−メチル−１，２，４−ブタントリオール、トリメチロールエタン、トリメチロールプロパン、１，３，５−トリヒドロキシメチルベンゼン等が挙げられる。
【００５９】
また、多価カルボン酸成分のうち２価のカルボン酸成分としては、例えば、マレイン酸、フマル酸、シトラコン酸、イタコン酸、グルタコン酸、フタル酸、イソフタル酸、テレフタル酸、シクロヘキサンジカルボン酸、コハク酸、アジピン酸、セバチン酸、アゼライン酸、マロン酸、ｎ−ドデセニルコハク酸、イソドデセニルコハク酸、ｎ−ドデシルコハク酸、イソドデシルコハク酸、ｎ−オクテニルコハク酸、イソオクテニルコハク酸、ｎ−オクチルコハク酸、イソオクチルコハク酸、これらの酸の無水物あるいは低級アルキルエステルが挙げられる。
【００６０】
３価以上のカルボン酸成分としては、例えば、１，２，４−ベンゼントリカルボン酸（トリメリット酸）、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサンントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、エンポール三量体酸、これらの酸の無水物、低級アルキルエステル等が挙げられる。
【００６１】
〔着色剤〕
トナーを構成する着色剤としては、公知の無機または有機着色剤を使用することができる。以下に、具体的な着色剤を示す。
【００６２】
黒色の着色剤としては、例えば、ファーネスブラック、チャンネルブラック、アセチレンブラック、サーマルブラック、ランプブラックなどのカーボンブラックや、マグネタイト、フェライトなどの磁性粉が挙げられる。
【００６３】
また、マゼンタもしくはレッド用の着色剤としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８；１、Ｃ．Ｉ．ピグメントレッド５３；１、Ｃ．Ｉ．ピグメントレッド５７；１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２などが挙げられる。
【００６４】
また、オレンジもしくはイエロー用の着色剤としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８などが挙げられる。
【００６５】
また、グリーンもしくはシアン用の着色剤としては、Ｃ．Ｉ．ピグメントブルー１５、Ｃ．Ｉ．ピグメントブルー１５；２、Ｃ．Ｉ．ピグメントブルー１５；３、Ｃ．Ｉ．ピグメントブルー１５；４、Ｃ．Ｉ．ピグメントブルー１６、Ｃ．Ｉ．ピグメントブルー６０、Ｃ．Ｉ．ピグメントブルー６２、Ｃ．Ｉ．ピグメントブルー６６、Ｃ．Ｉ．ピグメントグリーン７などが挙げられる。
【００６６】
以上の着色剤は、単独でまたは２種類以上を組み合わせて用いることができる。
【００６７】
また、着色剤の添加量はトナー全体に対して１〜３０質量％、好ましくは２〜２０質量％の範囲とされる。
【００６８】
〔離型剤〕
トナーに使用可能な離型剤としては、以下に示すものが挙げられる。
（１）ポリオレフィン系ワックス
ポリエチレンワックス、ポリプロピレンワックス等
（２）長鎖炭化水素系ワックス
パラフィンワックス、サゾールワックス等
（３）ジアルキルケトン系ワックス
ジステアリルケトン等
（４）エステル系ワックス
カルナウバワックス、モンタンワックス、トリメチロールプロパントリベヘネート、ペンタエリスリトールテトラミリステート、ペンタエリスリトールテトラステアレート、ペンタエリスリトールテトラベヘネート、ペンタエリスリトールジアセテートジベヘネート、グリセリントリベヘネート、１，１８−オクタデカンジオールジステアレート、トリメリット酸トリステアリル、ジステアリルマレエート等
（５）アミド系ワックス
エチレンジアミンジベヘニルアミド、トリメリット酸トリステアリルアミド等
また、トナー中の離型剤含有量は、１質量％〜３０質量％が好ましく、さらに好ましくは５質量％〜２０質量％である。
【００６９】
〔荷電制御剤〕
トナーに使用可能な荷電制御剤としては、公知の種々の化合物を用いることができる。
【００７０】
例えばアゾ系金属錯体、サリチル酸金属塩あるいは金属錯体、カリックスアレン、４級アンモニウム塩などを挙げることができる。
【００７１】
〔外添剤〕
トナーに使用可能な外添剤としては、公知の無機微粒子や有機微粒子、及び、滑剤が挙げられる。
【００７２】
無機微粒子としては、従来公知のものを使用することが可能で、たとえば、シリカ、チタニア、アルミナ、チタン酸ストロンチウム微粒子等が好ましいものとして挙げられる。また、必要に応じてこれらの無機微粒子を疎水化処理したものも使用可能である。
【００７３】
シリカ微粒子の具体例としては、たとえば、日本アエロジル社製の市販品Ｒ−８０５、Ｒ−９７６、Ｒ−９７４、Ｒ−９７２、Ｒ−８１２、Ｒ−８０９、ヘキスト社製のＨＶＫ−２１５０、Ｈ−２００、キャボット社製の市販品ＴＳ−７２０、ＴＳ−５３０、ＴＳ−６１０、Ｈ−５、ＭＳ−５等が挙げられる。
【００７４】
チタニア微粒子としては、たとえば、日本アエロジル社製の市販品Ｔ−８０５、Ｔ−６０４、テイカ社製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン社製の市販品ＴＡ−３００ＳＩ、ＴＡ−５００、ＴＡＦ−１３０、ＴＡＦ−５１０、ＴＡＦ−５１０Ｔ、出光興産社製の市販品ＩＴ−Ｓ、ＩＴ−ＯＡ、ＩＴ−ＯＢ、ＩＴ−ＯＣ等が挙げられる。
【００７５】
アルミナ微粒子としては、たとえば、日本アエロジル社製の市販品ＲＦＹ−Ｃ、Ｃ−６０４、石原産業社製の市販品ＴＴＯ−５５等が挙げられる。
【００７６】
また、有機微粒子としては数平均一次粒子径が１０〜２０００ｎｍ程度の球形の有機微粒子を使用することができる。具体的には、スチレンやメチルメタクリレートなどの単独重合体やこれらの共重合体を使用することができる。
【００７７】
滑剤としては、高級脂肪酸の金属塩が使用可能で、例えばステアリン酸の亜鉛、アルミニウム、銅、マグネシウム、カルシウム等の塩、オレイン酸の亜鉛、マンガン、鉄、銅、マグネシウム等の塩、パルミチン酸の亜鉛、銅、マグネシウム、カルシウム等の塩、リノール酸の亜鉛、カルシウム等の塩、リシノール酸の亜鉛、カルシウム等の塩が挙げられる。
【００７８】
これらの外添剤は、単独または２種類以上の組合せで用いることができる。添加量は、トナー全体に対して０．１〜１０．０質量％が好ましい。
【００７９】
〔現像剤〕
トナーは、一成分現像剤または二成分現像剤（キャリアと混合）のどちらを使用してもよい。
【実施例】
【００８０】
以下に実施例で本発明をさらに説明する。なお、下記実施例は、本発明の範囲を下に記載した内容に制限するものではない。
【００８１】
カラープリンターＭａｇｉｃｏｌｏｒ５５７０｛コニカミノルタビジネステクノロジーズ（株）製｝を用いて、下記「表１」に示す画像受容体にイエロー、マゼンタ、シアントナーにより、１ｃｍ２の正方形のグレー１５０％網点画像を作成した。
【００８２】
ついで、トナー画像および画像部周辺を綿棒によりリモネン溶液｛受容体に応じて界面活性剤（サーフィノール４６５；日信化学社製）、溶剤を添加し、それぞれの例示に応じたリモネン溶液を作成した｝を塗布した後、ウェスでリモネン溶液に浸漬された面をリモネン溶液ごと除去した。この作業を、塗布から除去までの時間を変えて行い、画像が除去できる最短の時間を確認した（下記「表１」に結果を記載）。
【００８３】
また、画像がきれいに除去できた画像受容体に再度イエロー、マゼンタ、シアンにより、１ｃｍ２の正方形のグレー１５０％網点画像を作成し、画像除去可能な最短のリモネン溶液浸漬時間でリモネン溶液を綿棒により塗布し、画像除去する作業が何度繰り返すことが可能かを確認した（下記「表１」に結果を記載）。
【００８４】
なお、紙のベック平滑度は平滑度試験機（熊谷理器工業社製）を用いＪＩＳ−Ｐ８１１１に準じて測定を実施した。また、接触角は、ＤｒｏｐＭａｓｔｅｒ  ＤＭ３００（協和界面科学社製）を用いて、下記「表１」のシート状画像受容体とリモネン溶液の組み合わせで、リモネン溶液を０．２ｍｌ滴下し、２０秒後に測定した値を表記してある。
【００８５】
【表１】
2010060877.tif 000003
【００８６】
ベック平滑度が２０秒〜１５０秒のシート状画像受容体（紙、ユポ紙など）上の画像は除去でき、その画像受容体が繰り返し利用できることが確認された。また、リモネン溶液のリモネン含有量、リモネン溶液の画像受容体に対する接触角が適正である場合に、画像除去までの時間が短く、シート状画像受容体の繰り返し回数が増えることが確認された。
【００８７】
本発明により、画像受容体の再生利用が可能となり、環境面での省資源化の助力となる。